(57)【特許請求の範囲】
【請求項１】
第１のケーブルと第２のケーブルとを電気的に接続する端子台であって、
基台と、
前記基台の一面に設けられ、両端部にそれぞれ第１および第２のねじ孔を有する導電板と、
前記第１のねじ孔に螺合して、前記第１のケーブルの端子を前記導電板に接続固定する絶縁性の第１のねじと、
前記第２のねじ孔に螺合して、前記第２のケーブルの端子を前記導電板に接続固定する絶縁性の第２のねじと、
少なくとも絶縁性の板状部を有する絶縁部材と、
を有し、
前記第１のケーブルと前記第２のケーブルとを電気的に切り離す場合には、前記第１および第２のケーブルのうちの少なくとも一方のケーブルの端子を前記導電板に接続固定するねじが緩められ、前記絶縁部材の前記板状部が当該少なくとも一方のケーブルの端子と前記導電板との間にスライド挿入されることを特徴とする端子台。
【請求項２】
請求項１に記載の端子台であって、
前記絶縁部材の前記板状部は、前記少なくとも一方のケーブルの端子と前記導電板との間にスライド挿入される際にねじの軸部と干渉しないように切り欠かれていることを特徴とする端子台。
【請求項３】
請求項１または請求項２に記載の端子台であって、
前記絶縁部材の前記板状部は、前記第１のケーブルと前記第２のケーブルとが電気的に接続されている間、前記第１のケーブルの端子と前記第２のケーブルの端子との間の前記導電板の面上に配置されることを特徴とする端子台。
【請求項４】
請求項１または請求項２に記載の端子台であって、
前記基台の前記一面には、前記導電板の前記第２のねじ孔が前記第１のねじの頭部より高い位置となるように段差が設けられ、
前記第１のケーブルと前記第２のケーブルとを電気的に切り離す場合には、前記第２のねじが緩められ、前記絶縁部材の前記板状部が前記第２のケーブルの端子と前記導電板との間にスライド挿入されることを特徴とする端子台。
【請求項５】
基台と、
前記基台の一面に設けられ、両端部にそれぞれ第１および第２のねじ孔を有する導電板と、
前記第１のねじ孔に螺合して、第１のケーブルの端子を前記導電板に接続固定する絶縁性の第１のねじと、
前記第２のねじ孔に螺合して、第２のケーブルの端子を前記導電板に接続固定する絶縁性の第２のねじと、
を有し、前記第１のケーブルと前記第２のケーブルとを電気的に接続する端子台とともに用いられ、前記第１のケーブルと前記第２のケーブルとを電気的に切り離すための切り離し器具であって、
長手方向の一端に設けられた絶縁性の板状部と、
長手方向の他端に設けられた持ち手部と、
を有し、
前記第１のケーブルと前記第２のケーブルとを電気的に切り離す場合には、前記第１および第２のケーブルのうち、端子を前記導電板に接続固定するねじが緩められた少なくとも一方のケーブルの端子と、前記導電板との間に前記板状部がスライド挿入されることを特徴とする切り離し器具。
【請求項６】
請求項５に記載の切り離し器具であって、
前記板状部は、前記少なくとも一方のケーブルの端子と前記導電板との間にスライド挿入される際にねじの軸部と干渉しないように切り欠かれていることを特徴とする切り離し器具。
【請求項７】
請求項５または請求項６に記載の切り離し器具であって、
前記板状部以外の部分の長手方向と前記板状部の面とのなす角度が可変であることを特徴とする切り離し器具。
【発明の詳細な説明】
【技術分野】
【０００１】
本発明は、端子台および切り離し器具に関する。
【背景技術】
【０００２】
配電盤やリレー盤、遠隔監視制御装置（遠制装置）などでは、内部回路と電力機器などの外部の実機（外部機器）とを接続するのに端子台が用いられている。このような端子台では、一方側（例えば内部回路側）のケーブルと他方側（例えば外部機器側）のケーブルとをビスなどのねじで導電板に接続固定することによって、ケーブル間を電気的に接続している（特許文献１を参照）。
【０００３】
ここで、一般的な端子台の構成の一例を図１７ないし図１９に示す。図１７は、各ケーブルが接続固定される接続面側から見た平面図であり、図１８は、ケーブル９２，９４，９６側から見た側面図であり、図１９は、ケーブル９１および９２の中心軸で切断した垂直断面図である。
【０００４】
なお、以下の説明において、図中のｘ軸方向、ｙ軸方向、およびｚ軸方向は、それぞれ、ケーブル間を電気的に接続する導電板の長手方向、幅方向（短手方向）、および板厚方向に対応するものとする。また、図中の各座標軸は、矢印の方向で＋方向を表すとともに、×印付きの丸印で紙面の手前から奥に向かう方向が＋方向であることを示し、黒丸付きの丸印で紙面の奥から手前に向かう方向が＋方向であることを示している。
【０００５】
図１７ないし図１９に示されている端子台３は、基台３０、仕切り板Ｒ１ないしＲ７、導電板Ｅ１ないしＥ３、ねじＴ１ないしＴ６、および座金Ｗ１ないしＷ６を含んで構成され、ケーブル９１ないし９６が接続固定されている。
【０００６】
基台３０の接続面（図１７に示されている一面）は、ｘ軸方向の仕切り板Ｒ１ないしＲ６とｙ軸方向の仕切り板Ｒ７とによって仕切られている。また、仕切り板Ｒ１およびＲ２に挟まれた領域には、導電板Ｅ１が設けられ、仕切り板Ｒ２およびＲ３に挟まれた領域には、導電板Ｅ２が設けられ、仕切り板Ｒ３およびＲ４に挟まれた領域には、導電板Ｅ３が設けられている。なお、仕切り板Ｒ７と基台３０との間には、これらの導電板の板厚に対応する高さのスリットＳＬ２が設けられている。そして、各導電板は、両端部にねじ孔が形成されており、さらに、基台３０には、導電板のねじ孔の位置に対応してねじ孔が形成されている。
【０００７】
ねじＴ１は、導電板Ｅ１の−ｘ側のねじ孔およびそれに対応する基台３０のねじ孔に螺合して、座金Ｗ１とともにケーブル９１の端子（以下、ケーブル端子９１ｔのように称する）を導電板Ｅ１に接続固定している。一方、ねじＴ２は、導電板Ｅ１の＋ｘ側のねじ孔およびそれに対応する基台３０のねじ孔に螺合して、座金Ｗ２とともにケーブル端子９２ｔを導電板Ｅ１に接続固定している。同様に、ねじＴ３およびＴ４は、それぞれ座金Ｗ３およびＷ４とともにケーブル端子９３ｔおよび９４ｔを導電板Ｅ２に接続固定している。また、同様に、ねじＴ５およびＴ６は、それぞれ座金Ｗ５およびＷ６とともにケーブル端子９５ｔおよび９６ｔを導電板Ｅ３に接続固定している。なお、ねじＴ１ないしＴ６としては、金属などの導電性のねじが用いられる。
【０００８】
このようにして、一方側のケーブル９１，９３，９５と他方側のケーブル９２，９４，９６とを、それぞれ導電板Ｅ１，Ｅ２，Ｅ３を介して電気的に接続することができる。なお、仕切り板Ｒ４およびＲ５に挟まれた領域や、仕切り板Ｒ５およびＲ６に挟まれた領域には、接続固定されるケーブルがないため、導電板が設けられていないが、これらの領域にも導電板を設け、座金のみをねじで固定しておいてもよく、以下の説明においても同様である。
【先行技術文献】
【特許文献】
【０００９】
【特許文献１】特開２００３−８６２６７号公報
【発明の概要】
【発明が解決しようとする課題】
【００１０】
図１７ないし図１９に示した一般的な端子台において、試験や点検などのため、あるケーブル間を電気的に切り離す場合、ねじ止めされているケーブルを端子台から取り外す必要がある。例えば図２０に示すように、ケーブル９１−９２間を電気的に切り離すため、ケーブル９２を端子台３から取り外す場合には、まず、ねじＴ２を基台３０および導電板Ｅ１のねじ孔から完全に外す必要がある。
【００１１】
しかしながら、発電所や変電所などの電気所内で配電盤やリレー盤、遠制装置などに用いられている端子台では、接続されているケーブルの本数が多く、試験・点検時に多くのケーブルを取り外す必要がある場合もある。そのような場合、ケーブルを１本ずつ確実に取り外し、試験・点検の終了後に誤りなく接続し直すため、ケーブルの着脱作業によって、全体の作業時間が長くなったり、作業者の負担が大きくなったりすることとなる。
【００１２】
また、作業者のヒューマンエラーによって接続を誤った場合には、ミストリップが発生するなど、電力供給に支障をきたす可能性もある。さらに、取り外したケーブルは、内部回路などに接触して短絡・地絡事故の原因になるとともに、活線のままケーブルを取り外した場合には、感電事故を引き起こす恐れもある。
【課題を解決するための手段】
【００１３】
前述した課題を解決する主たる本発明は、第１のケーブルと第２のケーブルとを電気的に接続する端子台であって、基台と、前記基台の一面に設けられ、両端部にそれぞれ第１および第２のねじ孔を有する導電板と、前記第１のねじ孔に螺合して、前記第１のケーブルの端子を前記導電板に接続固定する絶縁性の第１のねじと、前記第２のねじ孔に螺合して、前記第２のケーブルの端子を前記導電板に接続固定する絶縁性の第２のねじと、少なくとも絶縁性の板状部を有する絶縁部材と、を有し、前記第１のケーブルと前記第２のケーブルとを電気的に切り離す場合には、前記第１および第２のケーブルのうちの少なくとも一方のケーブルの端子を前記導電板に接続固定するねじが緩められ、前記絶縁部材の前記板状部が当該少なくとも一方のケーブルの端子と前記導電板との間にスライド挿入されることを特徴とする端子台である。
【００１４】
また、前述した課題を解決するその他の主たる本発明は、基台と、前記基台の一面に設けられ、両端部にそれぞれ第１および第２のねじ孔を有する導電板と、前記第１のねじ孔に螺合して、第１のケーブルの端子を前記導電板に接続固定する絶縁性の第１のねじと、前記第２のねじ孔に螺合して、第２のケーブルの端子を前記導電板に接続固定する絶縁性の第２のねじと、を有し、前記第１のケーブルと前記第２のケーブルとを電気的に接続する端子台とともに用いられ、前記第１のケーブルと前記第２のケーブルとを電気的に切り離すための切り離し器具であって、長手方向の一端に設けられた絶縁性の板状部と、長手方向の他端に設けられた持ち手部と、を有し、前記第１のケーブルと前記第２のケーブルとを電気的に切り離す場合には、前記第１および第２のケーブルのうち、端子を前記導電板に接続固定するねじが緩められた少なくとも一方のケーブルの端子と、前記導電板との間に前記板状部がスライド挿入されることを特徴とする切り離し器具である。
【００１５】
本発明の他の特徴については、添付図面及び本明細書の記載により明らかとなる。
【発明の効果】
【００１６】
本発明によれば、ねじ止めされているケーブルを端子台から取り外すことなく、ケーブル間を電気的に切り離すことができる。
【図面の簡単な説明】
【００１７】
【図１】本発明の一実施形態における端子台の構成を示す平面図である。
【図２】図１に示した端子台をケーブル９２，９４，９６側から見た側面図である。
【図３】図１に示した端子台をケーブル９１および９２の中心軸で切断した垂直断面図である。
【図４】図１に示した端子台において、ケーブル９１−９２間を電気的に切り離した状態を示す平面図である。
【図５】図１に示した端子台において、ケーブル９１−９２間を電気的に切り離した状態を示す側面図である。
【図６】図１に示した端子台において、ケーブル９１−９２間を電気的に切り離した状態を示す垂直断面図である。
【図７】連結部材１１の形状を示す斜視図である。
【図８】図１に示した端子台において、絶縁部材Ｉ１ないしＩ３を連結部材１１で連結した状態を示す平面図である。
【図９】図１に示した端子台において、ケーブル９１−９２間、９３−９４間、および９５−９６間を同時に電気的に切り離した状態を示す平面図である。
【図１０】端子台の他の構成例を示す平面図である。
【図１１】図１０に示した端子台をケーブル９１および９２の中心軸で切断した垂直断面図である。
【図１２】図１０に示した端子台において、ケーブル９１−９２間を電気的に切り離した状態を示す平面図である。
【図１３】図１０に示した端子台において、ケーブル９１−９２間を電気的に切り離した状態を示す垂直断面図である。
【図１４】本発明の一実施形態における切り離し器具の構成を示す図である。
【図１５】一般的な端子台において、図１４に示した切り離し器具を用いてケーブル９１−９２間を電気的に切り離した状態を示す平面図である。
【図１６】一般的な端子台において、図１４に示した切り離し器具を用いてケーブル９１−９２間を電気的に切り離した状態を示す垂直断面図である。
【図１７】一般的な端子台の構成の一例を示す平面図である。
【図１８】図１７に示した端子台をケーブル９２，９４，９６側から見た側面図である。
【図１９】図１７に示した端子台をケーブル９１および９２の中心軸で切断した垂直断面図である。
【図２０】図１７に示した端子台において、ケーブル９１−９２間を電気的に切り離す方法を説明する図である。
【発明を実施するための形態】
【００１８】
本明細書および添付図面の記載により、少なくとも以下の事項が明らかとなる。
【００１９】
＝＝＝端子台の構成＝＝＝
以下、図１ないし図３を参照して、本発明の一実施形態における端子台の構成について説明する。なお、図１は、接続面側から見た平面図であり、図２は、ケーブル９２，９４，９６側から見た側面図であり、図３は、ケーブル９１および９２の中心軸で切断した垂直断面図である。
【００２０】
図１ないし図３に示されている端子台１は、基台１０、仕切り板Ｐ１ないしＰ８、導電板Ｃ１ないしＣ３、ねじＳ１ないしＳ６、座金Ｗ１ないしＷ６、および絶縁部材Ｉ１ないしＩ３を含んで構成され、ケーブル９１ないし９６が接続固定されている。
【００２１】
基台１０の接続面（図１に示されている一面）は、ｘ軸方向の仕切り板Ｐ１ないしＰ６とｙ軸方向の仕切り板Ｐ７およびＰ８とによって仕切られている。また、仕切り板Ｐ１およびＰ２に挟まれた領域には、導電板Ｃ１が設けられ、仕切り板Ｐ２およびＰ３に挟まれた領域には、導電板Ｃ２が設けられ、仕切り板Ｐ３およびＰ４に挟まれた領域には、導電板Ｃ３が設けられている。そして、各導電板は、両端部にねじ孔が形成されており、さらに、基台１０には、導電板のねじ孔の位置に対応してねじ孔が形成されている。
【００２２】
本実施形態におけるねじＳ１ないしＳ６としては、セラミックや樹脂などの絶縁性のねじが用いられる。ねじＳ１，Ｓ３，Ｓ５（第１のねじ）は、それぞれ、導電板Ｃ１，Ｃ２，Ｃ３の−ｘ側のねじ孔（第１のねじ孔）およびそれに対応する基台１０のねじ孔に螺合して、座金Ｗ１，Ｗ３，Ｗ５とともにケーブル９１，９３，９５（第１のケーブル）の端子９１ｔ，９３ｔ，９５ｔを導電板Ｃ１，Ｃ２，Ｃ３に接続固定している。一方、ねじＳ２，Ｓ４，Ｓ６（第２のねじ）は、それぞれ、導電板Ｃ１，Ｃ２，Ｃ３の＋ｘ側のねじ孔（第２のねじ孔）およびそれに対応する基台１０のねじ孔に螺合して、座金Ｗ２，Ｗ４，Ｗ６とともにケーブル９２，９４，９６（第２のケーブル）の端子９２ｔ，９４ｔ，９６ｔを導電板Ｃ１，Ｃ２，Ｃ３に接続固定している。
【００２３】
このようにして、一方側のケーブル９１，９３，９５と他方側のケーブル９２，９４，９６とを、それぞれ導電板Ｃ１，Ｃ２，Ｃ３を介して電気的に接続している。
【００２４】
絶縁部材Ｉ１ないしＩ３は、ｙ軸方向から見て略Ｌ字形状となっており、それぞれ導電板Ｃ１ないしＣ３に接する板状部と、当該板状部から垂直方向（＋ｚ方向）に延びる垂直部とからなり、少なくとも板状部が絶縁性を有している。ここで、各導電板は、仕切り板Ｐ７およびＰ８によって、ケーブルの端子が接続固定される両端部と、それらの間の中央部とに仕切られており、各絶縁部材の板状部は、ケーブル間が電気的に接続されている接続状態の間、当該中央部の面上に配置されている。また、仕切り板Ｐ７およびＰ８と基台１０との間には、導電板の板厚と絶縁部材の板状部の板厚との合計に対応する高さのスリットＳＬ１が設けられている。
【００２５】
なお、基台１０は、各導電板の中央部の分だけ、図１７ないし図１９に示した端子台３における基台３０よりｘ軸方向の寸法が大きくなっている。また、それに応じて、仕切り板Ｐ１ないしＰ６、および導電板Ｃ１ないしＣ３も、それぞれ端子台３における仕切り板Ｒ１ないしＲ６、および導電板Ｅ１ないしＥ３よりｘ軸方向（長手方向）の寸法が大きくなっている。
【００２６】
＝＝＝絶縁部材の作用＝＝＝
以下、図４ないし図６を参照して、本実施形態における端子台において、絶縁部材を用いてケーブル間を電気的に切り離す方法について説明する。なお、以下においては、一例として、ケーブル９１−９２間を電気的に切り離す場合について説明し、図４ないし図６は、ケーブル９１−９２間を電気的に切り離した状態（切り離し状態）を示している。また、図４は、接続面側から見た平面図であり、図５は、ケーブル９２，９４，９６側から見た側面図であり、図６は、ケーブル９１および９２の中心軸で切断した垂直断面図である。
【００２７】
ケーブル９１−９２間を切り離し状態にする場合、まず、ケーブル端子９１ｔおよび９２ｔをそれぞれ導電板Ｃ１に接続固定しているねじＳ１およびＳ２のうちの少なくとも一方のねじ（図４ないし図６においてはねじＳ２）を緩める。このとき、ねじＳ２は、基台１０および導電板Ｃ１のねじ孔から外れない程度に緩められる。
【００２８】
次に、絶縁部材Ｉ１の垂直部を指などで押さえながら、仕切り板Ｐ８と基台１０との間のスリットＳＬ１を介して、板状部をケーブル端子９２ｔと導電板Ｃ１との間にスライド挿入する。前述したように、絶縁部材Ｉ１の板状部は絶縁性を有し、また、ねじＳ２として絶縁性のねじが用いられているため、図４ないし図６において、ケーブル端子９２ｔと導電板Ｃ１とが導通せず、ケーブル９１−９２間が電気的に切り離される。
【００２９】
最後に、この状態でねじＳ２を締め付けることによって、切り離し状態を維持することができる。また、試験や点検などの終了後に再び接続状態に戻す場合には、ねじＳ２を一旦緩めたうえで、絶縁部材Ｉ１を挿入方向（＋ｘ方向）とは反対方向（−ｘ方向）にスライドさせればよい。
【００３０】
ここで、絶縁部材Ｉ１の垂直部は、図５および図６に示すように、板状部をスライド挿入する際に指などで押さえやすいよう、先端が仕切り板Ｐ７およびＰ８よりも上側（＋ｚ側）に突出している。また、絶縁部材Ｉ１の板状部は、図６に示すように、ケーブル端子９２ｔの下側（−ｚ側）への挿入を容易にするため、挿入方向の先端部が傾斜面となるように形成されている。さらに、絶縁部材Ｉ１の板状部は、図４に示すように、スライド挿入される際にねじＳ２の軸部と干渉しないように切り欠かれており、これにより、先端部が座金Ｗ２よりも＋ｘ方向に突出し、確実に挿入されていることを目視で確認することができる。
【００３１】
なお、図４ないし図６においては、ねじＳ２を緩め、絶縁部材Ｉ１の板状部をケーブル端子９２ｔの下側にスライド挿入しているが、ねじＳ１を緩め、絶縁部材Ｉ１の板状部をケーブル端子９１ｔの下側にスライド挿入してもよい。さらに、２個の絶縁部材の板状部をそれぞれのケーブル端子の下側にスライド挿入してもよい。
【００３２】
また、図４ないし図６においては、ケーブル９１−９２間のみを切り離し状態にしているが、例えば図７に示す連結部材１１を用いて、複数のケーブル間を同時に切り離し状態にすることもできる。連結部材１１には、矩形の孔が長手方向に３つ並んで形成されており、図８に示すように、絶縁部材Ｉ１ないしＩ３は、それぞれの垂直部をこれらの孔に挿入することによって連結される。そして、図９に示すように、互いに連結された絶縁部材Ｉ１，Ｉ２，Ｉ３の板状部をそれぞれケーブル端子９２ｔ，９４ｔ，９６ｔの下側にスライド挿入することによって、ケーブル９１−９２間、９３−９４間、および９５−９６間を同時に切り離し状態にすることができる。
【００３３】
＝＝＝端子台の他の構成例＝＝＝
前述したように、端子台１は、各導電板の中央部の分だけ、端子台３よりｘ軸方向の寸法が大きくなっているため、より広い設置スペースを必要とする。そこで、端子台１よりも設置スペースを抑えることができる端子台の構成を図１０および図１１に示す。なお、図１０は、接続面側から見た平面図であり、図１１は、ケーブル９１および９２の中心軸で切断した垂直断面図である。
【００３４】
図１０および図１１に示されている端子台２は、基台２０、仕切り板Ｑ１ないしＱ７、導電板Ｄ１ないしＤ３、ねじＳ１ないしＳ６、および座金Ｗ１ないしＷ６を含んで構成され、ケーブル９１ないし９６が接続固定されている。
【００３５】
図１１に示すように、基台２０の接続面（図１０に示されている一面）には、導電板Ｄ１，Ｄ２，Ｄ３の＋ｘ側のねじ孔（第２のねじ孔）がねじＳ１，Ｓ３，Ｓ５（第１のねじ）の頭部より高い位置となるように段差が設けられている。そのため、ｘ軸方向の仕切り板Ｑ１ないしＱ６は、当該段差に応じて、−ｘ側が＋ｘ側より−ｚ方向に長い形状とし、導電板Ｄ１ないしＤ３は、当該段差に沿って屈曲させる必要がある。また、ｙ軸方向の仕切り板Ｑ７は、段差の上段側（基台２０の＋ｘ側）に設けられ、仕切り板Ｑ７と基台２０との間には、導電板の板厚と絶縁部材の板状部の板厚との合計に対応する高さのスリットＳＬ１が設けられている。
【００３６】
基台２０の接続面のうち、仕切り板Ｑ１およびＱ２に挟まれた領域には、導電板Ｄ１が設けられ、仕切り板Ｑ２およびＱ３に挟まれた領域には、導電板Ｄ２が設けられ、仕切り板Ｑ３およびＱ４に挟まれた領域には、導電板Ｄ３が設けられている。そして、各導電板は、両端部にねじ孔が形成されており、さらに、基台２０には、導電板のねじ孔の位置に対応してねじ孔が形成されている。
【００３７】
ねじＳ１，Ｓ３，Ｓ５は、それぞれ、導電板Ｄ１，Ｄ２，Ｄ３の−ｘ側のねじ孔（第１のねじ孔）およびそれに対応する基台２０のねじ孔に螺合して、座金Ｗ１，Ｗ３，Ｗ５とともにケーブル端子９１ｔ，９３ｔ，９５ｔを導電板Ｄ１，Ｄ２，Ｄ３に接続固定している。一方、ねじＳ２，Ｓ４，Ｓ６（第２のねじ）は、それぞれ、導電板Ｄ１，Ｄ２，Ｄ３の＋ｘ側のねじ孔およびそれに対応する基台２０のねじ孔に螺合して、座金Ｗ２，Ｗ４，Ｗ６とともにケーブル端子９２ｔ，９４ｔ，９６ｔを導電板Ｄ１，Ｄ２，Ｄ３に接続固定している。
【００３８】
このようにして、一方側のケーブル９１，９３，９５と他方側のケーブル９２，９４，９６とを、それぞれ導電板Ｄ１，Ｄ２，Ｄ３を介して電気的に接続している。
【００３９】
以上のように、端子台２は、仕切り板Ｑ７によって各導電板が両端部のみに仕切られており、ｘ軸方向の寸法が端子台３と略同じであるため、設置スペースを抑えることができる。なお、端子台１における中央部に相当する領域がないため、各絶縁部材は、接続状態の間、端子台２から取り外されている。そして、例えば図１２および図１３に示すように、ケーブル９１−９２間を切り離し状態にする場合には、ねじＳ２を一旦緩めたうえで、仕切り板Ｑ７と基台２０との間のスリットＳＬ１を介して、絶縁部材Ｉ１の板状部をケーブル端子９２ｔと導電板Ｄ１との間にスライド挿入すればよい。
【００４０】
＝＝＝切り離し器具の構成＝＝＝
端子台１や端子台２を用いることによって、ねじ止めされているケーブルを端子台から取り外すことなく、ケーブル間を電気的に切り離すことができる。しかしながら、端子台１や端子台２では、端子台３のような既設の一般的な端子台から交換する必要があり、導入コストが大きい。そこで、一般的な端子台に若干の変更を加えて、端子台１や端子台２と同様に、ねじ止めされているケーブルを端子台から取り外すことなく、ケーブル間を電気的に切り離すことができる切り離し器具の構成を図１４に示す。
【００４１】
図１４に示されている（直線型）切り離し器具ＴＬ１は、全体が直線状に形成されており、長手方向の一端には、板状部ＴＬｉが設けられ、他端には、持ち手部ＴＬｈが設けられている。なお、板状部ＴＬｉは、端子台１や端子台２における絶縁部材の板状部と同様に、スライド挿入される際にねじの軸部と干渉しないように切り欠かれている。また、（水平角度固定型）切り離し器具ＴＬ２は、板状部ＴＬｉとそれ以外の部分（中央の本体部分および持ち手部ＴＬｈ）とが水平方向（板状部ＴＬｉの面に平行な方向）に所定の角度を持って形成されている。これらの切り離し器具ＴＬ１およびＴＬ２は、少なくとも板状部ＴＬｉが絶縁性を有しており、例えば、本体部分も含めて塩化ビニル樹脂（ポリ塩化ビニル）などで形成されている。
【００４２】
（垂直角度可変型）切り離し器具ＴＬ３は、板状部ＴＬｉとそれ以外の部分とが垂直方向の角度（板状部ＴＬｉ以外の部分の長手方向が板状部ＴＬｉの面となす角度）を可変に構成されている。また、（水平角度固定・垂直角度可変型）切り離し器具ＴＬ４は、切り離し器具ＴＬ２と同様に水平方向の角度が固定され、切り離し器具ＴＬ３と同様に垂直方向の角度が可変となっている。これらの切り離し器具ＴＬ３およびＴＬ４は、少なくとも板状部ＴＬｉが絶縁性を有しており、例えば、本体部分も含めてシリコン樹脂などで形成されている。
【００４３】
なお、切り離し器具ＴＬ２や切り離し器具ＴＬ４として、水平方向の角度が異なる複数の種類を予め用意しておいてもよい。
【００４４】
＝＝＝切り離し器具の作用＝＝＝
以下、図１５および図１６を参照して、一般的な端子台において、図１４に示した切り離し器具を用いてケーブル間を電気的に切り離す方法について説明する。なお、以下においては、一例として、切り離し器具ＴＬ３を用いてケーブル９１−９２間を電気的に切り離す場合について説明する。また、図１５は、接続面側から見た平面図であり、図１６は、ケーブル９１および９２の中心軸で切断した垂直断面図である。
【００４５】
切り離し器具を用いてケーブル間を切り離し状態にするためには、図１５および図１６に示すように、一般的な端子台３における導電性のねじＴ１ないしＴ６を、予め絶縁性のねじＳ１ないしＳ６に取り替えておく必要がある。そして、このような変更が加えられた端子台３’において、ケーブル９１−９２間を切り離し状態にする場合には、ねじＳ２を一旦緩めたうえで、切り離し器具ＴＬ３の持ち手部ＴＬｈを持って、板状部ＴＬｉをケーブル端子９２ｔと導電板Ｅ１との間にケーブル９２側（＋ｘ側）からスライド挿入すればよい。
【００４６】
前述したように、板状部ＴＬｉは絶縁性を有し、また、絶縁性のねじＳ１ないしＳ６に取り替えられているため、図１５および図１６において、ケーブル端子９２ｔと導電板Ｅ１とが導通せず、ケーブル９１−９２間が電気的に切り離される。また、試験や点検などの終了後に再び接続状態に戻す場合には、ねじＳ２を一旦緩めたうえで、切り離し器具ＴＬ３の持ち手部ＴＬｈを挿入方向（−ｘ方向）とは反対方向（＋ｘ方向）に引き、板状部ＴＬｉを引き抜けばよい。
【００４７】
ここで、切り離し器具ＴＬ３は、垂直方向の角度が可変であるため、図１６に示すように、ケーブル９２と干渉しないように板状部ＴＬｉをスライド挿入することができる。また、切り離し器具ＴＬ３の板状部ＴＬｉは、図１５に示すように、スライド挿入される際にねじＳ２の軸部と干渉しないように切り欠かれており、これにより、先端部が座金Ｗ２よりも−ｘ方向に突出し、確実に挿入されていることを目視で確認することができる。なお、ケーブル端子９２ｔの下側（−ｚ側）への挿入を容易にするため、端子台１や端子台２における絶縁部材の板状部と同様に、板状部ＴＬｉを挿入方向の先端部が傾斜面となるように形成してもよい。
【００４８】
前述したように、端子台１（２）において、ねじＳ１ないしＳ６として絶縁性のねじを用い、ねじＳ１およびＳ２のうちの少なくとも一方のねじＳ２を一旦緩めたうえで、絶縁部材Ｉ１の板状部をケーブル端子９２ｔと導電板Ｃ１（Ｄ１）との間にスライド挿入することによって、ねじ止めされているケーブル９２を端子台１（２）から取り外すことなく、ケーブル９１−９２間を切り離し状態にすることができる。そのため、ケーブルの着脱作業による作業員の負担を軽減するとともに、作業者のヒューマンエラーによる誤接続や、取り外したケーブルによる短絡・地絡事故、感電事故などを防止することができる。さらに、副次的な効果として、ねじをねじ孔から完全には外さないため、ねじの落下や紛失を防止することもできる。
【００４９】
また、絶縁部材Ｉ１の板状部を、スライド挿入される際にねじＳ２の軸部と干渉しないように切り欠くことによって、先端部が座金Ｗ２よりも＋ｘ方向に突出し、確実に挿入されていることを目視で確認することができる。
【００５０】
また、端子台１において、仕切り板Ｐ７およびＰ８により各導電板を両端部と中央部とに仕切ることによって、接続状態の間、各絶縁部材の板状部を当該中央部の面上に配置しておくことができる。
【００５１】
また、端子台２において、基台２０の接続面に、導電板Ｄ１，Ｄ２，Ｄ３の＋ｘ側のねじ孔がねじＳ１，Ｓ３，Ｓ５の頭部より高い位置となるように段差が設けることによって、端子台１よりも設置スペースを抑えることができる。
【００５２】
また、前述したように、一般的な端子台のねじを予め絶縁性のねじＳ１ないしＳ６に取り替えた端子台３’において、ねじＳ２を一旦緩めたうえで、切り離し器具（ＴＬ１〜ＴＬ４）の絶縁性の板状部ＴＬｉをケーブル端子９２ｔと導電板Ｅ１との間にスライド挿入することによっても、ねじ止めされているケーブル９２を端子台３’から取り外すことなく、ケーブル９１−９２間を切り離し状態にすることができる。
【００５３】
また、切り離し器具（ＴＬ１〜ＴＬ４）の板状部ＴＬｉを、スライド挿入される際にねじＳ２の軸部と干渉しないように切り欠くことによって、先端部が座金Ｗ２よりも−ｘ方向に突出し、確実に挿入されていることを目視で確認することができる。
【００５４】
また、切り離し器具ＴＬ３およびＴＬ４において、垂直方向の角度を可変とすることによって、ケーブル９２と干渉しないように板状部ＴＬｉをスライド挿入することができる。
【００５５】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５６】
１、２、３、３’  端子台
１０、２０、３０  基台
１１        連結部材
９１〜９６  ケーブル
９１ｔ〜９６ｔ  ケーブル端子
Ｃ１〜Ｃ３、Ｄ１〜Ｄ３、Ｅ１〜Ｅ３  導電板
Ｉ１〜Ｉ３  絶縁部材
Ｐ１〜Ｐ８、Ｑ１〜Ｑ７、Ｒ１〜Ｒ７  仕切り板
Ｓ１〜Ｓ６、Ｔ１〜Ｔ６  ねじ
Ｗ１〜Ｗ６  座金
ＳＬ１、ＳＬ２  スリット
ＴＬ１〜ＴＬ４  切り離し器具
ＴＬｉ      板状部
ＴＨｈ      持ち手部
【要約】
【課題】  ねじ止めされているケーブルを端子台から取り外すことなく、ケーブル間を電気的に切り離す。
【解決手段】  第１ケーブルと第２ケーブルとを電気的に接続する端子台であって、基台と、基台の一面に設けられ、両端部にそれぞれ第１および第２ねじ孔を有する導電板と、第１ねじ孔に螺合して、第１ケーブルの端子を導電板に接続固定する絶縁性の第１ねじと、第２ねじ孔に螺合して、第２ケーブルの端子を導電板に接続固定する絶縁性の第２ねじと、少なくとも絶縁性の板状部を有する絶縁部材と、を有し、第１ケーブルと第２ケーブルとを電気的に切り離す場合には、第１および第２ケーブルのうちの少なくとも一方のケーブルの端子を導電板に接続固定するねじが緩められ、絶縁部材の板状部が当該少なくとも一方のケーブルの端子と導電板との間にスライド挿入される。
【選択図】  図６【図１】
0005502212.tif 000002
【図２】
0005502212.tif 000003
【図３】
0005502212.tif 000004
【図４】
0005502212.tif 000005
【図５】
0005502212.tif 000006
【図６】
0005502212.tif 000007
【図７】
0005502212.tif 000008
【図８】
0005502212.tif 000009
【図９】
0005502212.tif 000010
【図１０】
0005502212.tif 000011
【図１１】
0005502212.tif 000012
【図１２】
0005502212.tif 000013
【図１３】
0005502212.tif 000014
【図１４】
0005502212.tif 000015
【図１５】
0005502212.tif 000016
【図１６】
0005502212.tif 000017
【図１７】
0005502212.tif 000018
【図１８】
0005502212.tif 000019
【図１９】
0005502212.tif 000020
【図２０】
0005502212.tif 000021